(57)【要約】【課題】タクトスイッチの径を小さくし小型化した場合でもクリック感を損なうことなく、入力ボタンを押下することによって、タクトスイッチを均一に押下して電極を安定して導通させることのできる押ボタン装置を提供する。【解決手段】入力ボタン２と、スイッチ基板３上に互いに所定間隔を隔てて配置された２つの電極４a、４bと、入力ボタン２と電極４a、４bとの間に設けられて入力ボタン２を押下することにより前記２つの電極４a、４bを導通させるタクトスイッチ５とを有する押ボタン装置１において、タクトスイッチ５の上面略中央に、入力ボタン２の押下によりタクトスイッチ５を介して２つの電極４a、４bを導通させる突起部７が形成されている。【選択図】図１
2006019056.tif 000002
【特許請求の範囲】
【請求項１】
入力ボタンと、基板上に互いに所定間隔を隔てて配置された２つの電極と、前記入力ボタンと電極との間に設けられて前記入力ボタンを押下することにより前記２つの電極を導通させるタクトスイッチとを有する押ボタン装置であって、
前記タクトスイッチの上面略中央に、前記入力ボタンの押下により前記タクトスイッチを介して前記２つの電極を導通させる突起部が形成されていることを特徴とする押ボタン装置。
【発明の詳細な説明】
【技術分野】
【０００１】
本発明は、入力ボタンと、基板上に互いに所定間隔を隔てて配置された２つの電極と、前記入力ボタンと電極との間に設けられて前記入力ボタンを押下することにより前記２つの電極を導通させるタクトスイッチとを有する押ボタン装置に関する。
【背景技術】
【０００２】
近年、携帯電話やＰＨＳ（Personal HandyPhone System）、トランシーバ、携帯無線データ端末等の携帯通信機器の普及が進み、その利用環境も様々になってきている。このような携帯通信機器における入力ボタンの構造は、図２に示すようにケース本体１０１の開口部１０１Ａに嵌め込まれた入力ボタン１０２と、この入力ボタン１０２の下面中央に形成されて下方に突出する突起部１０３と、スイッチ基板１０４上に配置された電極１０５a、１０５bと、電極１０５a、１０５bの上方に設けられたタクトスイッチ１０６とから構成されている（例えば、特許文献１参照）。そして、入力ボタン１０２を押下することにより、突起部１０３がタクトスイッチ１０６を押下して二つの電極１０５a、１０５bを接触させるようになっている。このような構造では、入力ボタン１０２の中心線と、タクトスイッチ１０６の中心線とが一致しており、入力ボタン１０２を押下するとタクトスイッチ１０６が均一に押し潰されて導通されるようになっている。
【０００３】
一方、図３(a)では、入力ボタン１０２の中心線（突起部１０３の位置）と、タクトスイッチ１０６の中心線とが異なる場合を示している。
また、近年、携帯通信機器における小型化が進むにつれて、図３(b)に示すように上記タクトスイッチ１０６の径を小さくしている。なお、図３(a)、(b)において図２と同様の構成部分については同様の符号を付している。
【特許文献１】特開２００３−２７２４９号公報（図２）
【発明の開示】
【発明が解決しようとする課題】
【０００４】
しかしながら、図３(b)に示すようにタクトスイッチ１０６の径を小さくした場合、タクトスイッチ１０６をスイッチ基板１０４に貼り付ける際の作業が煩雑となり、タクトスイッチ１０６のスイッチ基板１０４に対する貼りずれ、すなわち、実装誤差が生じ易くなる。つまり、図３(a)に示すようにタクトスイッチ１０６の径が比較的大きい場合には多少の誤差は問題ないとされているが、図３(b)に示すように小型化により、実装誤差が生じた場合に、入力ボタン１０２を押下すると突起部１０３がタクトスイッチ１０６の中心から偏心した位置である端部を押下することとなる。そのため、クリック感に影響を及ぼすとともに、タクトスイッチ１０６を均一に押下して電極１０４a、１０４bを安定して導通させることが困難となる。
また、図３(b)に示すようにタクトスイッチ１０６の径を小さくするにつれて、タクトスイッチ１０６のスイッチ基板１０４に対する実装誤差の許容が、その縮小比以上に厳しくなり、歩留まりも問題とされている。
【０００５】
本発明は、上記事情に鑑みてなされたもので、タクトスイッチの径を小さくし小型化した場合でもクリック感を損なうことなく、入力ボタンを押下することによって、タクトスイッチを均一に押下して電極を安定して導通させることのできる押ボタン装置を提供することを目的としている。
【課題を解決するための手段】
【０００６】
上記課題を解決するため、請求項１の発明は、例えば、図１に示すように、入力ボタン２と、基板（例えば、スイッチ基板３）上に互いに所定間隔を隔てて配置された２つの電極４a、４bと、前記入力ボタン２と電極４a、４bとの間に設けられて前記入力ボタン２を押下することにより前記２つの電極４a、４bを導通させるタクトスイッチ５とを有する押ボタン装置１であって、
前記タクトスイッチ５の上面略中央に、前記入力ボタン２の押下により前記タクトスイッチ５を介して前記２つの電極４a、４bを導通させる突起部７が形成されていることを特徴とする。
【０００７】
請求項１の発明によれば、タクトスイッチの上面略中央に突起部が形成されているため、入力ボタンを押下することにより、入力ボタンの広い面積を有する下面によって突起部を確実に押下することができる。これによって、タクトスイッチが均一に押下され、２つの電極を安定して導通させることができる。
このように本発明では、従来と異なり、入力ボタン側ではなくタクトスイッチ側に突起部を設けることによって、タクトスイッチの小型化に伴って実装誤差が生じ、入力ボタンの中心線とタクトスイッチの中心線とが偏心した場合であっても、入力ボタンを押下した際に、突起部を介してタクトスイッチに均一に押下圧が加えられることから、クリック感が損なわれることなく、電極を安定して導通させることができる。したがって、実装誤差にも容易に対応でき、歩留まりの向上も図ることができる。
【発明の効果】
【０００８】
本発明に係る押ボタン装置によれば、タクトスイッチの上面略中央に、入力ボタンの押下によりタクトスイッチを介して２つの電極を導通させる突起部が形成されているので、実装誤差により入力ボタンの中心線とタクトスイッチの中心線とが偏心した場合であっても、入力ボタンを均一に押下し、電極を安定して導通させることができる。
【発明を実施するための最良の形態】
【０００９】
以下、本発明の実施の形態について図面を参照して説明する。
図１は、本発明の実施の形態を示すためのもので、押ボタン装置の断面図である。
図１に示すように、本発明に係る押ボタン装置１は、例えば、携帯電話の入力ボタン２に適用することができる。特に、タクトスイッチ５の径を小さくし、入力ボタン２の中心線とタクトスイッチ５の中心線とが偏心した場合に好適であるため、本実施の形態では、この場合を例に挙げて説明する。
押ボタン装置１は、入力ボタン２と、スイッチ基板３上に互いに所定間隔を隔てて配置された２つの電極４a、４bと、入力ボタン２と電極４a、４bとの間に設けられて入力ボタン２を押下することにより２つの電極４a、４bを導通させるタクトスイッチ５とを備えている。
【００１０】
入力ボタン２は、樹脂製であり、略箱状のケース本体６の上面に形成された開口部６Ａに嵌め込まれるとともに、その開口部６Ａを介して外部に入力面が露出されている。この入力ボタン２の下部側の周囲にはフランジ２Ａが突設され、これによって入力ボタン２の上昇位置が規制されている。このフランジ２Ａの下面は平坦面で、後述するタクトスイッチ５の上面全体を覆っている。
ケース本体６内にはスイッチ基板３が配設されており、このスイッチ基板３の上面には銅箔等で形成した電極４a及び４bが設けられている。電極４aは、スイッチ基板３の外側部分を被覆し、電極４bは、電極４aの内側でスイッチ基板３の略中央を被覆するように、それぞれ互いに所定間隔を隔てて設けられている。また、スイッチ基板３の下面中央には、スイッチ基板３を貫通するスルーホール３Ａが開口され、スルーホール３Ａ内の導通パターン（図示略）を介してスイッチ基板３の下面に設けられた電極４cに接続されている。
【００１１】
そして、これら電極４a、４bと入力ボタン２との間にタクトスイッチ５が配設されている。タクトスイッチ５は、上向きに凸となるようなドーム状に形成されて変形可能な接点バネ５Ａと、接点バネ５Ａの上面を被覆しスイッチ基板３に貼り付けられる樹脂製のカバーフィルム（図示略）とを備えている。接点バネ５Ａは、導電性を有する金属あるいは樹脂により形成されている。また、このようなタクトスイッチ５の上面に、入力ボタン２の押下により２つの電極４a、４bを接触させる突起部７が形成されている。
【００１２】
突起部７は、樹脂からなり、上向きに凸となるようなドーム状をなして、タクトスイッチ５の上面略中央部に形成されている。すなわち、入力ボタン２の中心線とタクトスイッチの中心線とが異なっているが、入力ボタン２のフランジ２Ａの直下に突起部７が位置しており、面積の広いフランジ２Ａの下面で突起部７が押下されるようになっている。
【００１３】
このような構成からなる押ボタン装置１において、タクトスイッチ５は、スイッチ基板３上に配設された電極４aと常時接触している。そして、入力ボタン２を押下することにより、図１中破線で示されるように、突起部７がタクトスイッチ５内に押し込まれるとともにタクトスイッチ５が均一に押し潰されて、電極４bに接触することによって導通される。
【００１４】
以上、本発明の実施の形態の押ボタン装置１によれば、タクトスイッチ５の上面略中央に突起部７が形成されているため、タクトスイッチ５の小型化に伴って実装誤差が生じた場合であっても、入力ボタン２を押下することにより、入力ボタン２の広い面積を有する下面によって突起部７を介してタクトスイッチ５を均一に押下することができる。これによって、クリック感が損なわれることなく、電極４a、４bを安定して導通させることができる。したがって、実装誤差にも容易に対応でき、歩留まりの向上も図ることができる。
【００１５】
なお、本発明は、上記実施の形態に限定されるものではなく、その要旨を逸脱しない範囲で適宜変更可能である。
上記実施の形態では、１つの入力ボタン２と１つのタクトスイッチ５との構造についてのみ説明したが、ケース本体６に設けられたその他の複数の入力ボタンやタクトスイッチについても同様の構造となっていることは勿論のことである。
また、本実施の形態において、突起部７とタクトスイッチ５とは別体の構成としたが、突起部７とタクトスイッチ５とを一体に形成しても構わない。
【００１６】
さらに、本実施の形態の押ボタン装置１は、上記した構造に限られるものではなく、例えば、上記スイッチ基板３に形成したスルーホール３Ａや、下面に設けた電極４cを設けない構成としても良い。さらに、突起部７、タクトスイッチ５、入力ボタン２等の各構成部材の形状や材質等も適宜変更可能である。
また、上記実施の形態では携帯電話において適用したが、携帯電話に限らず、ＰＨＳ、トランシーバ、ＰＤＡ、携帯用パーソナルコンピュータ等の他の電子機器にも適用可能である。
【図面の簡単な説明】
【００１７】
【図１】本発明の実施の形態を示すためのもので、押ボタン装置の断面図である。
【図２】従来例を示すためのもので、押ボタン装置の断面図である。
【図３】同、(a)、(b)は、押ボタン装置の断面図である。
【符号の説明】
【００１８】
１  押ボタン装置
２  入力ボタン
３  スイッチ基板（基板）
４a、４b  電極
５  タクトスイッチ
７  突起部
【図１】
2006019056.tif 000003
【図２】
2006019056.tif 000004
【図３】
2006019056.tif 000005